(57)【要約】【課題】  有体物として存在する原稿にマークを付したと仮定したものと同等の印刷物を生成することができる画像形成装置および画像形成プログラムを提供する。【解決手段】  ＭＦＰは、有体物として存在する原稿からスキャナーによって画像を読み取り（Ｓ１４３）、Ｓ１４３において読み取った画像において、デジタルマークが配置されるべきマーク配置用領域を特定し（Ｓ１４７）、Ｓ１４３において読み取った画像に対して、Ｓ１４７において特定したマーク配置用領域に、デジタルマークを合成することによって合成画像を生成し、生成した合成画像をプリンターによって記録媒体に印刷することを特徴とする。【選択図】  図１０
2020077905.tif 000002
【特許請求の範囲】
【請求項１】
有体物として存在する原稿から画像を読み取る読取デバイスと、
記録媒体に画像を印刷する印刷デバイスと、
前記読取デバイスによって読み取られた画像において、デジタル化されたマークが配置されるべき領域を特定する領域特定部と、
前記読取デバイスによって読み取られた画像に対して、前記領域特定部によって特定された前記領域に、前記マークを合成することによって合成画像を生成する合成画像生成部と、
前記合成画像生成部によって生成された合成画像を前記印刷デバイスによって印刷する合成画像印刷部と
を備えることを特徴とする画像形成装置。
【請求項２】
前記領域特定部は、前記読取デバイスによって読み取られた画像に対して画像認識を実行することによって、前記読取デバイスによって読み取られた画像において前記領域を検出することを特徴とする請求項１に記載の画像形成装置。
【請求項３】
前記読取デバイスによって読み取られた画像に対して画像認識を実行することによって、前記読取デバイスによって読み取られた画像において、料金を示す料金情報の位置を検出する料金情報位置検出部と、
前記料金情報位置検出部によって位置が検出された前記料金情報に示される料金を取得する料金取得部と
を備え、
前記料金取得部は、取得した料金を前記画像形成装置の外部の決済システムに通知し、
前記合成画像印刷部は、前記画像形成装置から通知した料金の支払いの完了が前記決済システムから通知された場合に前記合成画像を印刷することを特徴とする請求項１または請求項２に記載の画像形成装置。
【請求項４】
情報を表示する表示デバイスと、
操作が入力される操作デバイスと
を備え、
前記領域特定部は、前記読取デバイスによって読み取られた画像のプレビューを前記表示デバイスに表示し、前記表示デバイスに表示された前記プレビューに対して前記操作デバイスから前記領域の位置が入力されることによって、前記領域を特定することを特徴とする請求項１に記載の画像形成装置。
【請求項５】
操作が入力される操作デバイスと、
前記合成画像生成部による合成画像の生成に使用される前記マークを取得するマーク取得部と
を備え、
前記マーク取得部は、前記操作デバイスから手書き入力された前記マークを取得することを特徴とする請求項１に記載の画像形成装置。
【請求項６】
前記合成画像生成部による合成画像の生成に使用される前記マークを取得するマーク取得部を備え、
前記マーク取得部は、前記読取デバイスによって読み取られた前記マークを取得することを特徴とする請求項１に記載の画像形成装置。
【請求項７】
有体物として存在する原稿から画像を読み取る読取デバイスと、
記録媒体に画像を印刷する印刷デバイスと
を備える画像形成装置に、
前記読取デバイスによって読み取られた画像において、デジタル化されたマークが配置されるべき領域を特定する領域特定部と、
前記読取デバイスによって読み取られた画像に対して、前記領域特定部によって特定された前記領域に、前記マークを合成することによって合成画像を生成する合成画像生成部と、
前記合成画像生成部によって生成された合成画像を前記印刷デバイスによって印刷する合成画像印刷部と
を実現させることを特徴とする画像形成プログラム。
【発明の詳細な説明】
【技術分野】
【０００１】
本発明は、デジタル化されたマークを付した画像を印刷する画像形成装置および画像形成プログラムに関する。
【背景技術】
【０００２】
従来、印刷データに対して、印影画像データが配置されるべき領域を特定し、印刷データに対して、特定した領域に、印影画像データを合成することによって合成画像を生成し、生成した合成画像を印刷デバイスによって印刷する画像形成装置が知られている（例えば、特許文献１参照。）。
【先行技術文献】
【特許文献】
【０００３】
【特許文献１】特開２０１３−１２１６９０号公報
【発明の概要】
【発明が解決しようとする課題】
【０００４】
しかしながら、従来の画像形成装置においては、印刷データが必須であるので、有体物として存在する原稿にマークを付したと仮定したものと同等の印刷物を生成することができないという問題がある。
【０００５】
そこで、本発明は、有体物として存在する原稿にマークを付したと仮定したものと同等の印刷物を生成することができる画像形成装置および画像形成プログラムを提供することを目的とする。
【課題を解決するための手段】
【０００６】
本発明の画像形成装置は、有体物として存在する原稿から画像を読み取る読取デバイスと、記録媒体に画像を印刷する印刷デバイスと、前記読取デバイスによって読み取られた画像において、デジタル化されたマークが配置されるべき領域を特定する領域特定部と、前記読取デバイスによって読み取られた画像に対して、前記領域特定部によって特定された前記領域に、前記マークを合成することによって合成画像を生成する合成画像生成部と、前記合成画像生成部によって生成された合成画像を前記印刷デバイスによって印刷する合成画像印刷部とを備えることを特徴とする。
【０００７】
この構成により、本発明の画像形成装置は、有体物として存在する原稿から読取デバイスによって読み取られた画像に対して、デジタル化されたマークを合成することによって合成画像を生成し、生成した合成画像を印刷デバイスによって印刷するので、有体物として存在する原稿にマークを付したと仮定したものと同等の印刷物を生成することができる。
【０００８】
本発明の画像形成装置において、前記領域特定部は、前記読取デバイスによって読み取られた画像に対して画像認識を実行することによって、前記読取デバイスによって読み取られた画像において前記領域を検出しても良い。
【０００９】
この構成により、本発明の画像形成装置は、読取デバイスによって読み取られた画像に対して画像認識を実行することによって、マークが配置されるべき領域を検出するので、利便性を向上することができる。
【００１０】
本発明の画像形成装置は、前記読取デバイスによって読み取られた画像に対して画像認識を実行することによって、前記読取デバイスによって読み取られた画像において、料金を示す料金情報の位置を検出する料金情報位置検出部と、前記料金情報位置検出部によって位置が検出された前記料金情報に示される料金を取得する料金取得部とを備え、前記料金取得部は、取得した料金を前記画像形成装置の外部の決済システムに通知し、前記合成画像印刷部は、前記画像形成装置から通知した料金の支払いの完了が前記決済システムから通知された場合に前記合成画像を印刷しても良い。
【００１１】
この構成により、本発明の画像形成装置は、料金を支払うための支払い用書類が原稿である場合に、支払い用書類から読取デバイスによって読み取られた画像において検出した料金情報に示される料金を決済システムに通知し、この料金の支払いの完了が決済システムから通知された場合に、読取デバイスによって読み取られた画像に対してマークを合成することによって生成した合成画像を印刷デバイスによって印刷するので、マークが付された、支払い用書類の複写物を、領収書として生成することができる。
【００１２】
本発明の画像形成装置は、情報を表示する表示デバイスと、操作が入力される操作デバイスとを備え、前記領域特定部は、前記読取デバイスによって読み取られた画像のプレビューを前記表示デバイスに表示し、前記表示デバイスに表示された前記プレビューに対して前記操作デバイスから前記領域の位置が入力されることによって、前記領域を特定しても良い。
【００１３】
この構成により、本発明の画像形成装置は、マークが配置されるべき領域をプレビューを使用して利用者に指定させることができるので、利便性を向上することができる。
【００１４】
本発明の画像形成装置は、操作が入力される操作デバイスと、前記合成画像生成部による合成画像の生成に使用される前記マークを取得するマーク取得部とを備え、前記マーク取得部は、前記操作デバイスから手書き入力された前記マークを取得しても良い。
【００１５】
この構成により、本発明の画像形成装置は、操作デバイスから手書き入力されたマークを、読取デバイスによって読み取られた画像に対して合成することによって合成画像を生成し、生成した合成画像を印刷デバイスによって印刷するので、利便性を向上することができる。
【００１６】
本発明の画像形成装置は、前記合成画像生成部による合成画像の生成に使用される前記マークを取得するマーク取得部を備え、前記マーク取得部は、前記読取デバイスによって読み取られた前記マークを取得しても良い。
【００１７】
この構成により、本発明の画像形成装置は、読取デバイスによって読み取られたマークを、読取デバイスによって読み取られた画像に対して合成することによって合成画像を生成し、生成した合成画像を印刷デバイスによって印刷するので、利便性を向上することができる。
【００１８】
本発明の画像形成プログラムは、有体物として存在する原稿から画像を読み取る読取デバイスと、記録媒体に画像を印刷する印刷デバイスとを備える画像形成装置に、前記読取デバイスによって読み取られた画像において、デジタル化されたマークが配置されるべき領域を特定する領域特定部と、前記読取デバイスによって読み取られた画像に対して、前記領域特定部によって特定された前記領域に、前記マークを合成することによって合成画像を生成する合成画像生成部と、前記合成画像生成部によって生成された合成画像を前記印刷デバイスによって印刷する合成画像印刷部とを実現させることを特徴とする。
【００１９】
この構成により、本発明の画像形成プログラムを実行する画像形成装置は、有体物として存在する原稿から読取デバイスによって読み取られた画像に対して、デジタル化されたマークを合成することによって合成画像を生成し、生成した合成画像を印刷デバイスによって印刷するので、有体物として存在する原稿にマークを付したと仮定したものと同等の印刷物を生成することができる。
【発明の効果】
【００２０】
本発明の画像形成装置および画像形成プログラムは、有体物として存在する原稿にマークを付したと仮定したものと同等の印刷物を生成することができる。
【図面の簡単な説明】
【００２１】
【図１】本発明の第１の実施の形態に係る画像形成システムのブロック図である。
【図２】図１に示すＭＦＰのブロック図である。
【図３】図２に示す制御部によって実現される機能を示す図である。
【図４】原稿の画像にデジタルマークを付した画像を印刷する場合の図２に示すＭＦＰにおける処理の主な流れを示す図である。
【図５】１台のコンピューターによって構成される場合の図１に示す管理システムのブロック図である。
【図６】図５に示すマークリストの一例を示す図である。
【図７】図５に示すマーク印刷履歴情報の一例を示す図である。
【図８】利用者がＭＦＰにログインする場合の図１に示す画像形成システムの動作のシーケンス図である。
【図９】管理システムにデジタルマークを登録する場合の図２に示すＭＦＰの動作のフローチャートである。
【図１０】原稿の画像にデジタルマークを付した画像を印刷する場合の図２に示すＭＦＰの動作の一部のフローチャートである。
【図１１】図１０に示すフローチャートの続きのフローチャートである。
【図１２】図１０に示すフローチャートの続きのフローチャートである。
【図１３】図１に示す画像形成システムにおいて使用される原稿の一例を示す図である。
【図１４】図１０〜図１２に示す動作の変形例のフローチャートである。
【図１５】図１０〜図１２に示す動作の図１４に示す例とは異なる変形例のフローチャートである。
【図１６】本発明の第２の実施の形態に係る画像形成システムのブロック図である。
【図１７】図１６に示すＭＦＰのブロック図である。
【図１８】図１７に示す制御部によって実現される機能を示す図である。
【図１９】原稿の画像にデジタルマークを付した画像を印刷する場合の図１７に示すＭＦＰにおける処理の主な流れを示す図である。
【図２０】１台のコンピューターによって構成される場合の図１６に示す決済システムのブロック図である。
【図２１】図１６に示す画像形成システムにおいて使用される支払い用書類の一例を示す図である。
【図２２】支払い用書類が原稿としてスキャナーにセットされた場合の図１７に示すＭＦＰの動作のフローチャートである。
【発明を実施するための形態】
【００２２】
以下、本発明の実施の形態について、図面を用いて説明する。
【００２３】
（第１の実施の形態）
まず、本発明の第１の実施の形態に係る画像形成システムの構成について説明する。
【００２４】
図１は、本実施の形態に係る画像形成システム１０のブロック図である。
【００２５】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０と、利用者を管理する管理システム４０とを備えている。画像形成システム１０は、ＭＦＰ２０以外にも、ＭＦＰ２０と同様の構成のＭＦＰを少なくとも１つ備えることが可能である。
【００２６】
管理システム４０は、１台のコンピューターによって構成されても良いし、複数台のコンピューターによって構成されても良い。
【００２７】
ＭＦＰ２０と、管理システム４０とは、ＬＡＮ（Ｌｏｃａｌ  Ａｒｅａ  Ｎｅｔｗｏｒｋ）、インターネットなどのネットワークを介して通信可能である。
【００２８】
図２は、ＭＦＰ２０のブロック図である。
【００２９】
図２に示すように、ＭＦＰ２０は、種々の操作が入力される例えばボタンなどの入力デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、有体物として存在する原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ、インターネットなどのネットワーク経由で、または、ネットワークを介さずに有線または無線によって直接に、外部の装置と通信を行う通信デバイスである通信部２６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部３０とを備えている。
【００３０】
操作部２１の少なくとも一部は、表示部２２とともにタッチパネルを構成している。
【００３１】
記憶部２７は、画像形成プログラム２７ａを記憶している。画像形成プログラム２７ａは、例えば、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリーなどの外部の記憶媒体からＭＦＰ２０に追加でインストールされても良いし、ネットワーク上からＭＦＰ２０に追加でインストールされても良い。
【００３２】
制御部３０は、例えば、ＣＰＵ（Ｃｅｎｔｒａｌ  Ｐｒｏｃｅｓｓｉｎｇ  Ｕｎｉｔ）３１と、プログラムおよび各種のデータを記憶しているＲＯＭ（Ｒｅａｄ  Ｏｎｌｙ  Ｍｅｍｏｒｙ）３２と、ＣＰＵ３１の作業領域として用いられるメモリーとしてのＲＡＭ（Ｒａｎｄｏｍ  Ａｃｃｅｓｓ  Ｍｅｍｏｒｙ）３３とを備えている。ＣＰＵ３１は、記憶部２７またはＲＯＭ３２に記憶されているプログラムを実行する。
【００３３】
図３は、制御部３０によって実現される機能を示す図である。
【００３４】
制御部３０は、画像形成プログラム２７ａを実行することによって、図３に示すように、スキャナー２４によって読み取られた画像において、デジタル化されたマーク（以下「デジタルマーク」という。）が配置されるべき領域（以下「マーク配置用領域」という。）を特定する領域特定部３０ａと、デジタルマークを取得するマーク取得部３０ｂと、スキャナー２４によって読み取られた画像に対して、領域特定部３０ａによって特定されたマーク配置用領域に、デジタルマークを合成することによって合成画像を生成する合成画像生成部３０ｃと、合成画像生成部３０ｃによって生成された合成画像をプリンター２３によって印刷する合成画像印刷部３０ｄとを実現する。
【００３５】
図４は、原稿の画像にデジタルマークを付した画像を印刷する場合のＭＦＰ２０における処理の主な流れを示す図である。
【００３６】
図４に示すように、スキャナー２４によって読み取られたＲＧＢ形式の画像は、記憶部２７に一旦記憶された後、ＭＦＰ２０のコンバーター２８によってＲＧＢ形式からＣＭＹＫ形式に色変換されて、ＲＡＭ３３に記憶される。次いで、ＲＡＭ３３に記憶されたＣＭＹＫ形式の画像は、領域特定部３０ａによってマーク配置用領域が特定される。そして、マーク取得部３０ｂによってデジタルマークが取得される。次いで、合成画像生成部３０ｃは、ＲＡＭ３３に記憶されたＣＭＹＫ形式の画像に対して、領域特定部３０ａによって特定されたマーク配置用領域に、マーク取得部３０ｂによって取得されたデジタルマークを合成することによって合成画像を生成する。最後に、合成画像印刷部３０ｄは、合成画像生成部３０ｃによって生成された合成画像をプリンター２３によって印刷する。
【００３７】
図５は、１台のコンピューターによって構成される場合の管理システム４０のブロック図である。
【００３８】
図５に示す管理システム４０は、種々の操作が入力される例えばキーボード、マウスなどの操作デバイスである操作部４１と、種々の情報を表示する例えばＬＣＤなどの表示デバイスである表示部４２と、ＬＡＮ、インターネットなどのネットワーク経由で、または、ネットワークを介さずに有線または無線によって直接に、外部の装置と通信を行う通信デバイスである通信部４３と、各種の情報を記憶する例えば半導体メモリー、ＨＤＤなどの不揮発性の記憶デバイスである記憶部４４と、管理システム４０全体を制御する制御部４５とを備えている。
【００３９】
記憶部４４は、利用者を認証するための認証用情報を利用者毎に含む認証用情報リスト４４ａを記憶している。認証用情報は、例えば、利用者の識別情報と、利用者のパスワードとを組み合わせた情報である。
【００４０】
記憶部４４は、デジタルマークを利用者毎に含むマークリスト４４ｂを記憶している。
【００４１】
図６は、マークリスト４４ｂの一例を示す図である。
【００４２】
図６に示すように、マークリスト４４ｂは、利用者の識別情報と、利用者のデジタルマークとを組み合わせた情報である。図６に示すマークリスト４４ｂは、利用者のデジタルマークの具体例が省略して描かれている。デジタルマークは、例えば、署名の画像や、印影の画像でも良いし、利用者が希望する任意の画像でも良い。
【００４３】
図５に示すように、記憶部４４は、デジタルマークを含む画像の印刷の履歴を示すマーク印刷履歴情報４４ｃを記憶している。
【００４４】
図７は、マーク印刷履歴情報４４ｃの一例を示す図である。
【００４５】
図７に示すように、マーク印刷履歴情報４４ｃは、デジタルマークを含む画像の印刷毎に、印刷の日時と、印刷した利用者の識別情報と、印刷に使用されたデジタルマークと、印刷した画像とを関連付けて示す情報である。図７に示すマーク印刷履歴情報４４ｃは、印刷に使用されたデジタルマークと、印刷した画像との具体例が省略して描かれている。
【００４６】
図５に示す制御部４５は、例えば、ＣＰＵと、プログラムおよび各種のデータを記憶しているＲＯＭと、制御部４５のＣＰＵの作業領域として用いられるメモリーとしてのＲＡＭとを備えている。制御部４５のＣＰＵは、記憶部４４、または、制御部４５のＲＯＭに記憶されているプログラムを実行する。
【００４７】
次に、画像形成システム１０の動作について説明する。
【００４８】
まず、利用者がＭＦＰ２０にログインする場合の画像形成システム１０の動作について説明する。
【００４９】
図８は、利用者がＭＦＰ２０にログインする場合の画像形成システム１０の動作のシーケンス図である。
【００５０】
利用者は、ログインの処理の開始をＭＦＰ２０の操作部２１を介してＭＦＰ２０に指示することができる。ＭＦＰ２０の制御部３０は、ログインの処理の開始が指示されると、図８に示すように、ログインのためのログイン画面を表示部２２に表示する（Ｓ１０１）。したがって、利用者は、表示部２２に表示されたログイン画面に操作部２１を介して認証用情報を入力することができる。
【００５１】
制御部３０は、Ｓ１０１の処理の後、認証用情報が入力されると、入力された認証用情報を管理システム４０に送信する（Ｓ１０２）。
【００５２】
管理システム４０の制御部４５は、ＭＦＰ２０から認証用情報を受信すると、受信した認証用情報と、認証用情報リスト４４ａとに基づいて認証を試みる（Ｓ１０３）。
【００５３】
制御部４５は、Ｓ１０３における認証が失敗すると、認証の失敗の通知をＭＦＰ２０に送信する（Ｓ１０４）。
【００５４】
ＭＦＰ２０の制御部３０は、Ｓ１０４における通知を受信すると、ログインの失敗を表示部２２に表示する（Ｓ１０５）。
【００５５】
制御部４５は、Ｓ１０３における認証が成功すると、認証の成功の通知をＭＦＰ２０に送信する（Ｓ１０６）。
【００５６】
ＭＦＰ２０の制御部３０は、Ｓ１０６における通知を受信すると、ログインの成功を表示部２２に表示する（Ｓ１０７）。
【００５７】
次に、管理システム４０にデジタルマークを登録する場合のＭＦＰ２０の動作について説明する。
【００５８】
図９は、管理システム４０にデジタルマークを登録する場合のＭＦＰ２０の動作のフローチャートである。
【００５９】
利用者は、ＭＦＰ２０にログインしている場合、管理システム４０にデジタルマークを登録する処理の開始を操作部２１を介してＭＦＰ２０に指示することができる。ＭＦＰ２０の制御部３０は、管理システム４０にデジタルマークを登録する処理の開始が指示されると、画像形成プログラム２７ａを実行することによって、図９に示す動作を実行する。
【００６０】
図９に示すように、マーク取得部３０ｂは、デジタルマークの入力の指示を表示部２２による表示によって利用者に通知する（Ｓ１２１）。Ｓ１２１における通知には、上述のタッチパネルまたはスキャナー２４からデジタルマークを入力可能であることが示されている。したがって、利用者は、例えば、署名をタッチパネルに手書き入力することによって、署名の画像をタッチパネルに読み取らせることができる。また、利用者は、例えば、印影が付されている、紙などの媒体をスキャナー２４にセットした後、スキャナー２４による画像の読み取りを操作部２１を介して指示することによって、媒体に付されている印影の画像をスキャナー２４に読み取らせることができる。
【００６１】
マーク取得部３０ｂは、Ｓ１２１の処理の後、タッチパネルまたはスキャナー２４からデジタルマークが入力されたと判断するまで、タッチパネルまたはスキャナー２４からデジタルマークが入力されたか否かを判断する（Ｓ１２２）。
【００６２】
マーク取得部３０ｂは、タッチパネルまたはスキャナー２４からデジタルマークが入力されたとＳ１２２において判断すると、入力されたとＳ１２２において判断したデジタルマークを、ＭＦＰ２０にログインしている利用者の識別情報と関連付けて記憶することを管理システム４０に要求する（Ｓ１２３）。したがって、管理システム４０の制御部４５は、Ｓ１２３においてＭＦＰ２０から送信されてきた、利用者の識別情報に関連付けられたデジタルマークとして、Ｓ１２３においてＭＦＰ２０から送信されてきたデジタルマークをマークリスト４４ｂに含める。そして、制御部４５は、デジタルマークの登録の成功をＭＦＰ２０に通知する。
【００６３】
マーク取得部３０ｂは、Ｓ１２３の処理の後、デジタルマークの登録の成功が管理システム４０から通知されたと判断するまで、デジタルマークの登録の成功が管理システム４０から通知されたか否かを判断する（Ｓ１２４）。
【００６４】
マーク取得部３０ｂは、デジタルマークの登録の成功が管理システム４０から通知されたとＳ１２４において判断すると、図９に示す動作を終了する。
【００６５】
管理システム４０へのデジタルマークの登録は、図９に示す動作以外の動作によって実行されても良い。例えば、利用者は、図示していないＰＣ（Ｐｅｒｓｏｎａｌ  Ｃｏｍｐｕｔｅｒ）などのコンピューターから管理システム４０にデジタルマークの登録を指示することができる。
【００６６】
次に、原稿の画像にデジタルマークを付した画像を印刷する場合のＭＦＰ２０の動作について説明する。
【００６７】
図１０〜図１２は、原稿の画像にデジタルマークを付した画像を印刷する場合のＭＦＰ２０の動作のフローチャートである。
【００６８】
利用者は、ＭＦＰ２０にログインしている場合、原稿の画像にデジタルマークを付した画像を印刷する処理の開始を操作部２１を介してＭＦＰ２０に指示することができる。ＭＦＰ２０の制御部３０は、原稿の画像にデジタルマークを付した画像を印刷する処理の開始が指示されると、画像形成プログラム２７ａを実行することによって、図１０〜図１２に示す動作を実行する。
【００６９】
図１０〜図１２に示すように、制御部３０は、スキャナー２４に原稿から画像を読み取らせる指示を表示部２２による表示によって通知する（Ｓ１４１）。したがって、利用者は、スキャナー２４に原稿をセットした後、スキャナー２４による画像の読み取りを操作部２１を介して指示することができる。
【００７０】
図１３は、画像形成システム１０において使用される原稿５０の一例を示す図である。
【００７１】
図１３に示す原稿５０は、マークが配置されるべきマーク配置用領域５１を含んでいる。なお、原稿５０は、マーク配置用領域５１を含んでいなくても良い。
【００７２】
図１０〜図１２に示すように、制御部３０は、Ｓ１４１の処理の後、スキャナー２４による画像の読み取りが指示されたと判断するまで、スキャナー２４による画像の読み取りが指示されたか否かを判断する（Ｓ１４２）。
【００７３】
制御部３０は、スキャナー２４による画像の読み取りが指示されたとＳ１４２において判断すると、スキャナー２４によって原稿から画像を読み取る（Ｓ１４３）。
【００７４】
次いで、領域特定部３０ａは、Ｓ１４３によって読み取った画像におけるマーク配置用領域の位置を指定するか否かの問い合わせを表示部２２に表示する（Ｓ１４４）。したがって、利用者は、Ｓ１４３によって読み取った画像におけるマーク配置用領域の位置を指定するか否かを操作部２１を介してＭＦＰ２０に回答することができる。
【００７５】
領域特定部３０ａは、Ｓ１４４の処理の後、Ｓ１４３によって読み取った画像におけるマーク配置用領域の位置を指定するか否かが回答されたと判断するまで、Ｓ１４３によって読み取った画像におけるマーク配置用領域の位置を指定するか否かが回答されたか否かを判断する（Ｓ１４５）。
【００７６】
領域特定部３０ａは、Ｓ１４３によって読み取った画像におけるマーク配置用領域の位置を指定するか否かが回答されたとＳ１４５において判断すると、Ｓ１４３によって読み取った画像におけるマーク配置用領域の位置を指定すると回答されたか否かを判断する（Ｓ１４６）。
【００７７】
領域特定部３０ａは、Ｓ１４３によって読み取った画像におけるマーク配置用領域の位置を指定すると回答されなかった、すなわち、Ｓ１４３によって読み取った画像におけるマーク配置用領域の位置を指定しないと回答されたとＳ１４６において判断すると、Ｓ１４３によって読み取った画像に対して画像認識を実行することによって、Ｓ１４３によって読み取った画像において、マーク配置用領域の検出を試みる（Ｓ１４７）。マーク配置用領域とは、例えば、署名欄や、印鑑の押印欄である。
【００７８】
領域特定部３０ａは、Ｓ１４７の処理の後、Ｓ１４７における検出が成功したか否かを判断する（Ｓ１４８）。
【００７９】
マーク取得部３０ｂは、Ｓ１４７における検出が成功したとＳ１４８において判断されると、ＭＦＰ２０にログインしている利用者の識別情報に関連付けられたデジタルマークを管理システム４０に要求するか否かの問い合わせを表示部２２に表示する（Ｓ１４９）。したがって、利用者は、ＭＦＰ２０にログインしている利用者の識別情報に関連付けられたデジタルマークを管理システム４０に要求するか否かを操作部２１を介してＭＦＰ２０に回答することができる。
【００８０】
マーク取得部３０ｂは、Ｓ１４９の処理の後、ＭＦＰ２０にログインしている利用者の識別情報に関連付けられたデジタルマークを管理システム４０に要求するか否かが回答されたと判断するまで、ＭＦＰ２０にログインしている利用者の識別情報に関連付けられたデジタルマークを管理システム４０に要求するか否かが回答されたか否かを判断する（Ｓ１５０）。
【００８１】
マーク取得部３０ｂは、ＭＦＰ２０にログインしている利用者の識別情報に関連付けられたデジタルマークを管理システム４０に要求するか否かが回答されたとＳ１５０において判断すると、ＭＦＰ２０にログインしている利用者の識別情報に関連付けられたデジタルマークを管理システム４０に要求すると回答されたか否かを判断する（Ｓ１５１）。
【００８２】
マーク取得部３０ｂは、ＭＦＰ２０にログインしている利用者の識別情報に関連付けられたデジタルマークを管理システム４０に要求すると回答されたとＳ１５１において判断すると、ＭＦＰ２０にログインしている利用者の識別情報に関連付けられたデジタルマークを管理システム４０に要求する（Ｓ１５２）。したがって、管理システム４０の制御部４５は、Ｓ１５２においてＭＦＰ２０から送信されてきた、利用者の識別情報にマークリスト４４ｂにおいて関連付けられているデジタルマーク、すなわち、ＭＦＰ２０にログインしている利用者のデジタルマークが存在するか否かを判断する。そして、制御部４５は、ＭＦＰ２０にログインしている利用者のデジタルマークが存在する場合に、ＭＦＰ２０にログインしている利用者のデジタルマークをＭＦＰ２０に送信する。一方、制御部４５は、ＭＦＰ２０にログインしている利用者のデジタルマークが存在しない場合に、ＭＦＰ２０にログインしている利用者のデジタルマークが存在しないことをＭＦＰ２０に通知する。
【００８３】
マーク取得部３０ｂは、Ｓ１５２の処理の後、ＭＦＰ２０にログインしている利用者のデジタルマークを管理システム４０から受信したか否かを判断する（Ｓ１５３）。
【００８４】
マーク取得部３０ｂは、ＭＦＰ２０にログインしている利用者のデジタルマークを管理システム４０から受信していないとＳ１５３において判断すると、ＭＦＰ２０にログインしている利用者のデジタルマークが存在しないことが管理システム４０から通知されたか否かを判断する（Ｓ１５４）。
【００８５】
マーク取得部３０ｂは、ＭＦＰ２０にログインしている利用者のデジタルマークが存在しないことが管理システム４０から通知されていないとＳ１５４において判断すると、Ｓ１５３の処理を実行する。
【００８６】
合成画像生成部３０ｃは、ＭＦＰ２０にログインしている利用者のデジタルマークを管理システム４０から受信したとＳ１５３において判断されると、Ｓ１４３によって読み取った画像に対して、Ｓ１４７において検出したマーク配置用領域に、受信したとＳ１５３において判断したデジタルマークを合成することによって、合成画像を生成する（Ｓ１５５）。
【００８７】
マーク取得部３０ｂは、ＭＦＰ２０にログインしている利用者の識別情報に関連付けられたデジタルマークを管理システム４０に要求すると回答されなかった、すなわち、ＭＦＰ２０にログインしている利用者の識別情報に関連付けられたデジタルマークを管理システム４０に要求しないと回答されたとＳ１５１において判断するか、ＭＦＰ２０にログインしている利用者のデジタルマークが存在しないことが管理システム４０から通知されたとＳ１５４において判断すると、Ｓ１２１〜Ｓ１２２の処理と同様のＳ１５６〜Ｓ１５７の処理を実行する。
【００８８】
合成画像生成部３０ｃは、タッチパネルまたはスキャナー２４からデジタルマークが入力されたとＳ１５７において判断されると、Ｓ１４３によって読み取った画像に対して、Ｓ１４７において検出したマーク配置用領域に、入力されたとＳ１５７において判断したデジタルマークを合成することによって、合成画像を生成する（Ｓ１５８）。
【００８９】
領域特定部３０ａは、Ｓ１４３によって読み取った画像におけるマーク配置用領域の位置を指定すると回答されたとＳ１４６において判断するか、Ｓ１４７における検出が失敗したとＳ１４８において判断すると、Ｓ１４３によって読み取った画像におけるマーク配置用領域の位置の指定の指示を表示部２２による表示によって利用者に通知する（Ｓ１５９）。Ｓ１５９における通知には、Ｓ１４３によって読み取った画像のプレビューと、上述のタッチパネルからマーク配置用領域の位置を指定可能であることとが示されている。したがって、利用者は、タッチパネルに表示されているプレビューに対してマーク配置用領域の位置をタッチパネルに入力することによって、Ｓ１４３によって読み取った画像におけるマーク配置用領域の位置をタッチパネルに読み取らせることができる。
【００９０】
領域特定部３０ａは、Ｓ１５９の処理の後、タッチパネルからマーク配置用領域の位置が入力されたと判断するまで、タッチパネルからマーク配置用領域の位置が入力されたか否かを判断する（Ｓ１６０）。
【００９１】
マーク取得部３０ｂは、タッチパネルからマーク配置用領域の位置が入力されたとＳ１６０において判断されると、Ｓ１４９〜Ｓ１５４の処理と同様のＳ１６１〜Ｓ１６６の処理を実行する。
【００９２】
合成画像生成部３０ｃは、ＭＦＰ２０にログインしている利用者のデジタルマークを管理システム４０から受信したとＳ１６５において判断すると、Ｓ１４３によって読み取った画像に対して、位置が入力されたとＳ１６０において判断したマーク配置用領域に、受信したとＳ１６５において判断したデジタルマークを合成することによって、合成画像を生成する（Ｓ１６７）。
【００９３】
マーク取得部３０ｂは、ＭＦＰ２０にログインしている利用者の識別情報に関連付けられたデジタルマークを管理システム４０に要求すると回答されなかった、すなわち、ＭＦＰ２０にログインしている利用者の識別情報に関連付けられたデジタルマークを管理システム４０に要求しないと回答されたとＳ１６３において判断するか、ＭＦＰ２０にログインしている利用者のデジタルマークが存在しないことが管理システム４０から通知されたとＳ１６６において判断すると、Ｓ１５６〜Ｓ１５７の処理と同様のＳ１６８〜Ｓ１６９の処理を実行する。
【００９４】
合成画像生成部３０ｃは、タッチパネルまたはスキャナー２４からデジタルマークが入力されたとＳ１６９において判断すると、Ｓ１４３によって読み取った画像に対して、位置が入力されたとＳ１６０において判断したマーク配置用領域に、入力されたとＳ１６９において判断したデジタルマークを合成することによって、合成画像を生成する（Ｓ１７０）。
【００９５】
合成画像印刷部３０ｄは、Ｓ１５５、Ｓ１５８、Ｓ１６７またはＳ１７０の処理の後、Ｓ１５５、Ｓ１５８、Ｓ１６７またはＳ１７０において生成した合成画像をプリンター２３によって印刷する（Ｓ１７１）。したがって、利用者は、デジタルマークが付された、原稿の複写物を得ることができる。
【００９６】
次いで、制御部３０は、Ｓ１７１における印刷の日時と、ＭＦＰ２０にログインしている利用者の識別情報と、Ｓ１５５、Ｓ１５８、Ｓ１６７またはＳ１７０において使用したデジタルマークと、Ｓ１７１において印刷した画像とを管理システム４０に送信する（Ｓ１７２）。したがって、管理システム４０は、Ｓ１７２においてＭＦＰ２０から送信されてきた、印刷の日時、利用者の識別情報、デジタルマーク、および、印刷した画像を関連付けてマーク印刷履歴情報４４ｃに記録する。
【００９７】
制御部３０は、Ｓ１７２の処理の後、図１０〜図１２に示す動作を終了する。
【００９８】
以上に説明したように、ＭＦＰ２０は、有体物として存在する原稿からスキャナー２４によってＳ１４３において読み取られた画像に対して、デジタルマークを合成することによって合成画像を生成し（Ｓ１５５、Ｓ１５８、Ｓ１６７およびＳ１７０）、生成した合成画像をプリンター２３によって印刷する（Ｓ１７１）ので、有体物として存在する原稿にデジタルマークを付したと仮定したものと同等の印刷物を生成することができる。
【００９９】
ＭＦＰ２０は、スキャナー２４によって読み取られた画像に対して画像認識を実行することによって、マーク配置用領域を検出する（Ｓ１４７）ので、利便性を向上することができる。
【０１００】
ＭＦＰ２０は、マーク配置用領域をＳ１５９においてプレビューを使用して利用者に指定させることができるので、利便性を向上することができる。
【０１０１】
ＭＦＰ２０は、操作部２１から手書き入力されたデジタルマークを、スキャナー２４によって読み取られた画像に対して合成することによって合成画像を生成し（「Ｓ１５７でＹＥＳおよびＳ１５８」または「Ｓ１６９でＹＥＳおよびＳ１７０」）、生成した合成画像をプリンター２３によって印刷する（Ｓ１７１）ので、利便性を向上することができる。
【０１０２】
ＭＦＰ２０は、スキャナー２４によって読み取られたデジタルマークを、スキャナー２４によって読み取られた画像に対して合成することによって合成画像を生成し（「Ｓ１５７でＹＥＳおよびＳ１５８」または「Ｓ１６９でＹＥＳおよびＳ１７０」）、生成した合成画像をプリンター２３によって印刷する（Ｓ１７１）ので、利便性を向上することができる。
【０１０３】
ＭＦＰ２０は、スキャナー２４によって読み取られた画像にデジタルマークとして印影の画像を付した画像を印刷する際に、利用者に実際の印鑑を使用させる必要がない。したがって、ＭＦＰ２０は、実際の印鑑が不正に使用されたり、実際の印鑑が利用者によっていずれかの場所に置き忘れられるなどして実際の印鑑が紛失されたりする可能性を低減することができ、セキュリティーを向上することができる。
【０１０４】
ＭＦＰ２０によるデジタルマークを含む画像の印刷の履歴は、全てマーク印刷履歴情報４４ｃに記録される。したがって、ＭＦＰ２０によるデジタルマークを含む画像の印刷は、マーク印刷履歴情報４４ｃを利用して簡単に監査されることが可能である。
【０１０５】
以上においては、領域特定部３０ａ、マーク取得部３０ｂ、合成画像生成部３０ｃおよび合成画像印刷部３０ｄがＣＰＵ３１によって実現される例について説明している。しかしながら、領域特定部３０ａ、マーク取得部３０ｂ、合成画像生成部３０ｃおよび合成画像印刷部３０ｄの少なくとも一部は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって実現されても良い。ＭＦＰ２０は、領域特定部３０ａ、マーク取得部３０ｂ、合成画像生成部３０ｃおよび合成画像印刷部３０ｄの少なくとも一部がＡＳＩＣによって実現される場合、パフォーマンスを向上することができる。
【０１０６】
ＭＦＰ２０は、以上において、スキャナー２４によって読み取られた画像にデジタルマークを付した画像を印刷する。しかしながら、ＭＦＰ２０は、スキャナー２４によって読み取られた画像にデジタルマークを付した画像を印刷する場合と同様の動作によって、ＰＣなどの外部のコンピューターから入力された印刷データに基づいた画像にデジタルマークを付した画像を印刷したり、ＵＳＢメモリーなどの外部の記憶媒体に記憶された画像にデジタルマークを付した画像を印刷したりすることも可能である。
【０１０７】
図１０〜図１２に示す動作においては、領域特定部３０ａは、Ｓ１４３の処理の後、Ｓ１４３によって読み取った画像におけるマーク配置用領域の位置を指定するか否かの問い合わせを表示部２２に表示する（Ｓ１４４）。しかしながら、領域特定部３０ａは、図１４に示すように、Ｓ１４３の処理の後、Ｓ１４３によって読み取った画像におけるマーク配置用領域の位置を指定するか否かの問い合わせを表示部２２に表示せずに、Ｓ１４３によって読み取った画像に対して画像認識を実行することによって、Ｓ１４３によって読み取った画像において、マーク配置用領域の検出を試みても良い（Ｓ１４７）。
【０１０８】
図１０〜図１２に示す動作においては、マーク取得部３０ｂは、Ｓ１４７における検出が成功したとＳ１４８において判断されると、ＭＦＰ２０にログインしている利用者の識別情報に関連付けられたデジタルマークを管理システム４０に要求するか否かの問い合わせを表示部２２に表示する（Ｓ１４９）。しかしながら、マーク取得部３０ｂは、図１５に示すように、Ｓ１４７における検出が成功したとＳ１４８において判断されると、ＭＦＰ２０にログインしている利用者の識別情報に関連付けられたデジタルマークを管理システム４０に要求するか否かの問い合わせを表示部２２に表示せずに、ＭＦＰ２０にログインしている利用者の識別情報に関連付けられたデジタルマークを管理システム４０に要求しても良い（Ｓ１５２）。同様に、マーク取得部３０ｂは、タッチパネルからマーク配置用領域の位置が入力されたとＳ１６０において判断されると、ＭＦＰ２０にログインしている利用者の識別情報に関連付けられたデジタルマークを管理システム４０に要求するか否かの問い合わせを表示部２２に表示せずに、ＭＦＰ２０にログインしている利用者の識別情報に関連付けられたデジタルマークを管理システム４０に要求しても良い（Ｓ１６４）。
【０１０９】
（第２の実施の形態）
まず、本発明の第２の実施の形態に係る画像形成システムの構成について説明する。
【０１１０】
図１６は、本実施の形態に係る画像形成システム２１０のブロック図である。
【０１１１】
図１６に示すように、画像形成システム２１０の構成は、第１の実施の形態に係る画像形成システム１０（図１参照。）がＭＦＰ２０に代えてＭＦＰ２２０を備えるとともに、決済を実行する決済システム２４０を画像形成システム１０が備えた構成と同様である。
【０１１２】
ＭＦＰ２２０は、コンビニエンスストアなどの小売店に設置されている。
【０１１３】
決済システム２４０は、１台のコンピューターによって構成されても良いし、複数台のコンピューターによって構成されても良い。
【０１１４】
ＭＦＰ２２０と、管理システム４０および決済システム２４０とは、ＬＡＮ、インターネットなどのネットワークを介して通信可能である。
【０１１５】
図１７は、ＭＦＰ２２０のブロック図である。
【０１１６】
図１７に示すように、ＭＦＰ２２０の構成は、ＭＦＰ２０（図２参照。）が画像形成プログラム２７ａに代えて画像形成プログラム２２７ａを備えた構成と同様である。
【０１１７】
図１８は、制御部３０によって実現される機能を示す図である。
【０１１８】
制御部３０は、画像形成プログラム２２７ａを実行することによって、図１８に示すように、領域特定部３０ａ、マーク取得部３０ｂ、合成画像生成部３０ｃおよび合成画像印刷部３０ｄと、スキャナー２４によって読み取られた画像において料金情報の位置を検出する料金情報位置検出部２３０ａと、料金情報位置検出部２３０ａによって位置が検出された料金情報に示される料金を取得する料金取得部２３０ｂとを実現する。
【０１１９】
図１９は、原稿の画像にデジタルマークを付した画像を印刷する場合のＭＦＰ２２０における処理の主な流れを示す図である。
【０１２０】
図１９に示すように、スキャナー２４によって読み取られたＲＧＢ形式の画像は、記憶部２７に一旦記憶された後、ＭＦＰ２０のコンバーター２８によってＲＧＢ形式からＣＭＹＫ形式に色変換されて、ＲＡＭ３３に記憶される。次いで、ＲＡＭ３３に記憶されたＣＭＹＫ形式の画像は、料金情報位置検出部２３０ａによって料金情報の位置が検出される。そして、料金取得部２３０ｂは、料金情報位置検出部２３０ａによって位置が検出された料金情報に示される料金を決済システム２４０に通知する。また、ＲＡＭ３３に記憶されたＣＭＹＫ形式の画像は、領域特定部３０ａによってマーク配置用領域が特定される。そして、マーク取得部３０ｂによってデジタルマークが取得される。次いで、合成画像生成部３０ｃは、ＲＡＭ３３に記憶されたＣＭＹＫ形式の画像に対して、領域特定部３０ａによって特定されたマーク配置用領域に、マーク取得部３０ｂによって取得されたデジタルマークを合成することによって合成画像を生成する。最後に、合成画像印刷部３０ｄは、合成画像生成部３０ｃによって生成された合成画像をプリンター２３によって印刷する。
【０１２１】
図２０は、１台のコンピューターによって構成される場合の決済システム２４０のブロック図である。
【０１２２】
図２０に示す決済システム２４０は、種々の操作が入力される例えばキーボード、マウスなどの操作デバイスである操作部２４１と、種々の情報を表示する例えばＬＣＤなどの表示デバイスである表示部２４２と、ＬＡＮ、インターネットなどのネットワーク経由で、または、ネットワークを介さずに有線または無線によって直接に、外部の装置と通信を行う通信デバイスである通信部２４３と、各種の情報を記憶する例えば半導体メモリー、ＨＤＤなどの不揮発性の記憶デバイスである記憶部２４４と、決済システム２４０全体を制御する制御部２４５とを備えている。
【０１２３】
表示部２４２は、ＭＦＰ２２０が設置されている小売店に設置されても良い。
【０１２４】
制御部２４５は、例えば、ＣＰＵと、プログラムおよび各種のデータを記憶しているＲＯＭと、制御部２４５のＣＰＵの作業領域として用いられるメモリーとしてのＲＡＭとを備えている。制御部２４５のＣＰＵは、記憶部２４４、または、制御部２４５のＲＯＭに記憶されているプログラムを実行する。
【０１２５】
次に、画像形成システム２１０の動作について説明する。
【０１２６】
以下においては、第１の実施の形態において説明した動作と同様の動作によって、小売店が利用者としてＭＦＰ２２０にログインしているものとする。また、第１の実施の形態において説明した動作と同様の動作によって、小売店の印鑑の印影の画像がデジタルマークとして管理システム４０のマークリスト４４ｂに登録されているものとする。
【０１２７】
小売店の客は、小売店に料金を支払うための支払い用書類２５０（図２１参照。）を小売店の店員に渡す。
【０１２８】
図２１は、画像形成システム２１０において使用される支払い用書類２５０の一例を示す図である。
【０１２９】
図２１に示す支払い用書類２５０は、小売店の客が小売店に支払う必要がある料金を示す例えばバーコードなどの料金情報２５１と、小売店の印鑑が押印されるためのマーク配置用領域としての押印欄２５２とを含んでいる。支払い用書類２５０は、例えば、宅配便の伝票や、インターネットで注文したチケットなどの商品を受け取るための印刷物でも良い。
【０１３０】
図２２は、支払い用書類２５０が原稿としてスキャナー２４にセットされた場合のＭＦＰ２２０の動作のフローチャートである。
【０１３１】
小売店の店員は、客から支払い用書類２５０を受け取ると、受け取った支払い用書類２５０をスキャナー２４にセットする。ＭＦＰ２２０の制御部３０は、支払い用書類２５０がスキャナー２４にセットされると、画像形成プログラム２２７ａを実行することによって、図２２に示す動作を実行する。
【０１３２】
図２２に示すように、ＭＦＰ２２０の制御部３０は、スキャナー２４によって支払い用書類２５０から画像を読み取る（Ｓ３０１）。
【０１３３】
次いで、料金情報位置検出部２３０ａは、Ｓ３０１によって読み取った画像に対して画像認識を実行することによって、Ｓ３０１によって読み取った画像において、料金情報２５１の位置の検出を試みる（Ｓ３０２）。
【０１３４】
料金情報位置検出部２３０ａは、Ｓ３０２の処理の後、Ｓ３０２における検出が成功したか否かを判断する（Ｓ３０３）。
【０１３５】
料金情報位置検出部２３０ａは、Ｓ３０２における検出が失敗したとＳ３０３において判断すると、料金情報２５１の位置の検出の失敗を表示部２２に表示して（Ｓ３０４）、図２２に示す動作を終了する。
【０１３６】
料金取得部２３０ｂは、Ｓ３０２における検出が成功したとＳ３０３において判断されると、Ｓ３０２において位置が検出された料金情報２５１に示される料金を取得する（Ｓ３０５）。
【０１３７】
次いで、料金取得部２３０ｂは、Ｓ３０５において取得した料金を決済システム２４０に通知する（Ｓ３０６）。したがって、決済システム２４０の制御部２４５は、ＭＦＰ２２０から通知された料金を表示部２４２に表示する。なお、画像形成システム２１０は、Ｓ３０５において取得した料金を、表示部２４２に加えて、または、表示部２４２に代えて、ＭＦＰ２２０の表示部２２に表示しても良い。小売店の店員は、表示された料金を確認した後、この料金を客から公知の任意の方法によって受領する。そして、決済システム２４０の制御部２４５は、ＭＦＰ２２０から通知された料金を小売店が受領したことを公知の任意の方法によって認識した後、料金の支払いの完了をＭＦＰ２２０に通知する。
【０１３８】
領域特定部３０ａは、Ｓ３０６の処理の後、支払いの完了が決済システム２４０から通知されたと判断するまで、支払いの完了が決済システム２４０から通知されたか否かを判断する（Ｓ３０７）。
【０１３９】
領域特定部３０ａは、支払いの完了が決済システム２４０から通知されたとＳ３０７において判断すると、Ｓ３０１によって読み取った画像に対して画像認識を実行することによって、Ｓ３０１によって読み取った画像において、押印欄２５２の検出を試みる（Ｓ３０８）。
【０１４０】
領域特定部３０ａは、Ｓ３０８の処理の後、Ｓ３０８における検出が成功したか否かを判断する（Ｓ３０９）。
【０１４１】
領域特定部３０ａは、Ｓ３０８における検出が失敗したとＳ３０９において判断すると、押印欄２５２の検出に失敗したために押印欄２５２に小売店の印鑑の印影の画像を付すことができないことを表示部２２に表示して（Ｓ３１０）、図２２に示す動作を終了する。
【０１４２】
マーク取得部３０ｂは、Ｓ３０８における検出が成功したとＳ３０９において判断すると、ＭＦＰ２２０にログインしている利用者としての小売店の識別情報に関連付けられたデジタルマークを管理システム４０に要求する（Ｓ３１１）。したがって、管理システム４０の制御部４５は、Ｓ３１１においてＭＦＰ２２０から送信されてきた、利用者の識別情報にマークリスト４４ｂにおいて関連付けられているデジタルマーク、すなわち、ＭＦＰ２２０にログインしている利用者のデジタルマークが存在するか否かを判断する。そして、制御部４５は、ＭＦＰ２２０にログインしている利用者のデジタルマークが存在する場合に、ＭＦＰ２２０にログインしている利用者のデジタルマークをＭＦＰ２２０に送信する。一方、制御部４５は、ＭＦＰ２２０にログインしている利用者のデジタルマークが存在しない場合に、ＭＦＰ２２０にログインしている利用者のデジタルマークが存在しないことをＭＦＰ２２０に通知する。
【０１４３】
マーク取得部３０ｂは、Ｓ３１１の処理の後、ＭＦＰ２２０にログインしている利用者のデジタルマークを管理システム４０から受信したか否かを判断する（Ｓ３１２）。
【０１４４】
マーク取得部３０ｂは、ＭＦＰ２２０にログインしている利用者のデジタルマークを管理システム４０から受信していないとＳ３１２において判断すると、ＭＦＰ２２０にログインしている利用者のデジタルマークが存在しないことが管理システム４０から通知されたか否かを判断する（Ｓ３１３）。
【０１４５】
マーク取得部３０ｂは、ＭＦＰ２２０にログインしている利用者のデジタルマークが存在しないことが管理システム４０から通知されていないとＳ３１３において判断すると、Ｓ３１２の処理を実行する。
【０１４６】
マーク取得部３０ｂは、ＭＦＰ２２０にログインしている利用者のデジタルマークが存在しないことが管理システム４０から通知されたとＳ３１３において判断すると、小売店の印鑑の印影の画像が管理システム４０に登録されていないために押印欄２５２に小売店の印鑑の印影の画像を付すことができないことを表示部２２に表示して（Ｓ３１４）、図２２に示す動作を終了する。
【０１４７】
合成画像生成部３０ｃは、ＭＦＰ２２０にログインしている利用者のデジタルマークを管理システム４０から受信したとＳ３１２において判断すると、Ｓ３０１によって読み取った画像に対して、Ｓ３０８において検出した押印欄２５２に、受信したとＳ３１２において判断したデジタルマークを合成することによって、合成画像を生成する（Ｓ３１５）。
【０１４８】
合成画像印刷部３０ｄは、Ｓ３１５の処理の後、Ｓ３１５において生成した合成画像をプリンター２３によって印刷する（Ｓ３１６）。したがって、小売店の店員は、押印欄２５２に小売店の印鑑の印影の画像が付された、支払い用書類２５０の複写物を、領収書として客に渡すことができる。
【０１４９】
制御部３０は、Ｓ３１６の処理の後、Ｓ３１６における印刷の日時と、ＭＦＰ２２０にログインしている利用者の識別情報と、Ｓ３１５において使用したデジタルマークと、Ｓ３１６において印刷した画像とを管理システム４０に送信する（Ｓ３１７）。したがって、管理システム４０は、Ｓ３１７においてＭＦＰ２２０から送信されてきた、印刷の日時、利用者の識別情報、デジタルマーク、および、印刷した画像を関連付けてマーク印刷履歴情報４４ｃに記録する。
【０１５０】
制御部３０は、Ｓ３１７の処理の後、図２２に示す動作を終了する。
【０１５１】
以上に説明したように、ＭＦＰ２２０は、有体物として存在する支払い用書類２５０からスキャナー２４によってＳ３０１において読み取られた画像に対して、デジタルマークを合成することによって合成画像を生成し（Ｓ３１５）、生成した合成画像をプリンター２３によって印刷する（Ｓ３１６）ので、有体物として存在する支払い用書類２５０にデジタルマークを付したと仮定したものと同等の印刷物を生成することができる。
【０１５２】
ＭＦＰ２２０は、スキャナー２４によってＳ３０１において読み取られた画像に対して画像認識を実行することによって、マーク配置用領域としての押印欄２５２を検出する（Ｓ３０８）ので、利便性を向上することができる。
【０１５３】
ＭＦＰ２２０は、料金を支払うための支払い用書類２５０が原稿である場合に、支払い用書類２５０からスキャナー２４によってＳ３０１において読み取られた画像においてＳ３０２において位置を検出した料金情報２５１に示される料金を決済システム２４０に通知し（Ｓ３０６）、この料金の支払いの完了が決済システム２４０から通知された場合（Ｓ３０７でＹＥＳ）に、スキャナー２４によってＳ３０１において読み取られた画像に対してデジタルマークを合成することによってＳ３１５において生成した合成画像をプリンター２３によって印刷する（Ｓ３１６）ので、デジタルマークが付された、支払い用書類２５０の複写物を、領収書として生成することができる。
【０１５４】
ＭＦＰ２２０は、スキャナー２４によって読み取られた画像にデジタルマークとして印影の画像を付した画像を印刷する際に、小売店の店員に実際の印鑑を使用させる必要がない。したがって、ＭＦＰ２２０は、実際の印鑑が不正に使用されたり、実際の印鑑が店員によっていずれかの場所に置き忘れられるなどして実際の印鑑が紛失されたりする可能性を低減することができ、セキュリティーを向上することができる。
【０１５５】
ＭＦＰ２２０によるデジタルマークを含む画像の印刷の履歴は、全てマーク印刷履歴情報４４ｃに記録される。したがって、ＭＦＰ２２０によるデジタルマークを含む画像の印刷は、マーク印刷履歴情報４４ｃを利用して簡単に監査されることが可能である。
【０１５６】
以上においては、領域特定部３０ａ、マーク取得部３０ｂ、合成画像生成部３０ｃ、合成画像印刷部３０ｄ、料金情報位置検出部２３０ａおよび料金取得部２３０ｂがＣＰＵ３１によって実現される例について説明している。しかしながら、領域特定部３０ａ、マーク取得部３０ｂ、合成画像生成部３０ｃ、合成画像印刷部３０ｄ、料金情報位置検出部２３０ａおよび料金取得部２３０ｂの少なくとも一部は、ＡＳＩＣによって実現されても良い。ＭＦＰ２２０は、領域特定部３０ａ、マーク取得部３０ｂ、合成画像生成部３０ｃ、合成画像印刷部３０ｄ、料金情報位置検出部２３０ａおよび料金取得部２３０ｂの少なくとも一部がＡＳＩＣによって実現される場合、パフォーマンスを向上することができる。
【０１５７】
本発明の画像形成装置は、上述の各実施の形態においてＭＦＰであるが、ＭＦＰ以外の画像形成装置でも良い。
【符号の説明】
【０１５８】
２０  ＭＦＰ（画像形成装置）
２１  操作部（操作デバイス）
２２  表示部（表示デバイス）
２３  プリンター（印刷デバイス）
２４  スキャナー（読取デバイス）
２７ａ  画像形成プログラム
３０ａ  領域特定部
３０ｂ  マーク取得部
３０ｃ  合成画像生成部
３０ｄ  合成画像印刷部
５０  原稿
５１  マーク配置用領域（デジタル化されたマークが配置されるべき領域）
２２０  ＭＦＰ（画像形成装置）
２２７ａ  画像形成プログラム
２３０ａ  料金情報位置検出部
２３０ｂ  料金取得部
２４０  決済システム
２５０  支払い用書類（原稿）
２５１  料金情報
２５２  押印欄（デジタル化されたマークが配置されるべき領域）
【図１】
2020077905.tif 000003
【図２】
2020077905.tif 000004
【図３】
2020077905.tif 000005
【図４】
2020077905.tif 000006
【図５】
2020077905.tif 000007
【図６】
2020077905.tif 000008
【図７】
2020077905.tif 000009
【図８】
2020077905.tif 000010
【図９】
2020077905.tif 000011
【図１０】
2020077905.tif 000012
【図１１】
2020077905.tif 000013
【図１２】
2020077905.tif 000014
【図１３】
2020077905.tif 000015
【図１４】
2020077905.tif 000016
【図１５】
2020077905.tif 000017
【図１６】
2020077905.tif 000018
【図１７】
2020077905.tif 000019
【図１８】
2020077905.tif 000020
【図１９】
2020077905.tif 000021
【図２０】
2020077905.tif 000022
【図２１】
2020077905.tif 000023
【図２２】
2020077905.tif 000024